(57)【要約】【課題】高所でのケーブル延線を地上付近（約２ｍ程度）で作業できるようにすることで、高所作業車が使用できないような作業環境下でもケーブル延線が可能になる電力ケーブルの布設工法を提供する。【解決手段】各電柱２の下部位置に予め延線用ワイヤー３を取り付け、延線用ワイヤー３を介して多数の吊りコロ４を吊り下げ、吊りコロ４を通して電力ケーブル１を延線し、電力ケーブル１を各電柱２の下部位置に張架した後、電力ケーブル１を各電柱２の上部ヘ順に吊上げることにより電力ケーブル１を延線布設する。【選択図】      図１
2006094640.tif 000002
【特許請求の範囲】
【請求項１】
ケーブルとメッセンジャーワイヤーとをラッシングワイヤーでスパイラル巻きして一体化せしめて成る架空ケーブルを各電柱の下部位置に仮配置して張架する地上延線工程と、前記架空ケーブルを各電柱の上部ヘ順に吊上げることにより前記架空ケーブルを各電柱の上部位置に延線布設する吊上げ工程とを備えることを特徴とする架空ケーブルの布設工法。
【請求項２】
前記地上延線工程は、前記各電柱の下部位置に予め延線用ワイヤーを取り付け、当該延線用ワイヤーを介して多数の延線用コロを吊り下げ、当該延線用コロを通して前記架空ケーブルを延線し、前記架空ケーブルを前記各電柱の下部位置に張架することを特徴とする請求項１記載の架空ケーブルの布設工法。
【請求項３】
前記地上延線工程において、各電柱の上部位置に延線布設される架空ケーブルには既に所定の弛度を施し予め延線形状にしておくことを特徴とする請求項１記載の架空ケーブルの布設工法。
【請求項４】
前記吊上げ工程は、複数の電柱が配置されてなる布設区間を幾つかの区間に分割し、まず任意の第１区間を架空ケーブルの弛度を利用して電柱の上部に吊上げ、次いで前記第１区間とは隣接しない第２区間を架空ケーブルの弛度を利用して電柱の上部に吊上げることにより、前記第１区間と前記第２区間との間の第３区間をも吊上げて、第１から第３の区間全体で架空ケーブルを均一に吊上げ、かかる手順を布設区間全体にわたって行うことにより、架空ケーブルを布設区間全域で均一に吊上げて各電柱の上部位置に延線布設することを特徴とする請求項１記載の架空ケーブルの布設工法。
【請求項５】
前記吊上げ工程は、前記電柱のケーブルオフセット部分でケーブルの延線形状を保持した状態で吊上げることを特徴とする請求項１記載の架空ケーブルの布設工法。
【請求項６】
架空ケーブルを固定するためのシャフトと、前記シャフトの両端に設けられ、前記架空ケーブルを保持して前記架空ケーブルの延線形状を維持するクリート部と、前記クリート部の下部に設けられ、前記架空ケーブルを支持するケーブル支持台と、前記シャフト及び前記架空ケーブルの一部とワイヤー接続され、更に前記架空ケーブルを吊上げるワイヤーとも接続されるフックとを有することを特徴とするケーブル吊上用治具。
【発明の詳細な説明】
【技術分野】
【０００１】
本発明は、架空ケーブルの布設工法及び当該工法に使用するケーブル吊上用治具に関するものである。
【背景技術】
【０００２】
特許文献１には、図９に示すような３本のケーブル４１をメッセンジャーワイヤー４２と共にラッシングワイヤー４３のスパイラル巻きにより一体化せしめて成る架空ケーブルを電柱に布設する工法が開示されている。
【０００３】
図１０を参照して、この工法を説明する。まず、予め布設すべき各電柱５６の上部に延線用ワイヤー５７を固定し、この延線用ワイヤー５７を介して各電柱５６間に多数の延線用コロ５８を吊り下げる。次に、ウィンチ５９より、工場で組み立てられた電力ケーブル５４が巻回されたケーブルドラム６０から電力ケーブル５４を引き出して、多数の延線用コロ５８を通して延線布設し、電力ケーブル５４のメッセンジャーワイヤー４２を各電柱５６間に張架する。最後に、延線用ワイヤー５７および延線用コロ５８を取り外すことで電力ケーブル５４を電柱上部に直接延線している。
【特許文献１】特公昭５６−４４６４４号公報
【発明の開示】
【発明が解決しようとする課題】
【０００４】
しかしながら、上記の工法では、電柱上での高所作業となるため、必ず高所作業車が必要であり、その布設場所も高所作業車を配置できるようなスペースを確保しなければならなかった。しかしながら、現場の条件によっては、高所作業車が入れないような狭隘な場所もあり、作業用足場の構築が必要であった。
【０００５】
また、上記の工法の場合では、電柱の上部において延線用ワイヤー５７を張架及び多数の延線用コロ５８を吊下する必要があるため、かなりの作業時間を要していた。更に、電力ケーブル５４の延線終了後にこれらを電柱上部から取り外すにも同様にかなりの作業時間を要し、長時間作業は作業効率の面においても、また、作業者の安全上の面からも好ましくなくその改善が強く要望されていた。
【０００６】
従って、本発明の目的は、高所に布設するケーブルの布設作業を、高所でのケーブル延線から地上付近（約２ｍ程度）で作業できるようにすることで、高所作業車が使用できないような作業環境下でもケーブル延線が可能になる架空ケーブルの布設工法を提供することにある。
【０００７】
また、本発明の他の目的は、工程数と作業時間を短縮できる架空ケーブルの布設工法を提供することにある。
【０００８】
更に、本発明の他の目的は、上記の架空ケーブルの布設工法に好適に用いることができるケーブル布設具を提供することにある。
【課題を解決するための手段】
【０００９】
上記目的を達成するため、本発明の架空ケーブルの布設工法は、ケーブルとメッセンジャーワイヤーとをラッシングワイヤーでスパイラル巻きして一体化せしめて成る架空ケーブルを各電柱の下部位置に仮配置して張架する地上延線工程と、前記架空ケーブルを各電柱の上部ヘ順に吊上げることにより前記架空ケーブルを各電柱の上部位置に延線布設する吊上げ工程とを備えることを特徴とする。
【００１０】
前記地上延線工程は、前記各電柱の下部位置に予め延線用ワイヤーを取り付け、当該延線用ワイヤーを介して多数の延線用コロを吊り下げ、当該延線用コロを通して前記架空ケーブルを延線し、前記架空ケーブルを前記各電柱の下部位置に張架することが好ましい。
また、前記地上延線工程において、各電柱の上部位置に延線布設される架空ケーブルには既に所定の弛度を施して予め延線形状にしておくことが好ましい。
【００１１】
前記吊上げ工程は、複数の電柱が配置されてなる布設区間を幾つかの区間に分割し、まず任意の第１区間を架空ケーブルの弛度を利用して電柱の上部に吊上げ、次いで前記第１区間とは隣接しない第２区間を架空ケーブルの弛度を利用して電柱の上部に吊上げることにより、前記第１区間と前記第２区間との間の第３区間をも吊上げて、第１から第３の区間全体で架空ケーブルを均一に吊上げ、かかる手順を布設区間全体にわたって行うことにより、架空ケーブルを布設区間全域で均一に吊上げて各電柱の上部位置に延線布設することが好ましい。
【００１２】
前記吊上げ工程は、前記電柱のケーブルオフセット部分でケーブルの延線形状を保持した状態で吊上げることが好ましい。
【００１３】
また、上記目的を達成するため、本発明のケーブル吊上用治具は、架空ケーブルを固定するためのシャフトと、前記シャフトの両端に設けられ、前記架空ケーブルを保持して前記架空ケーブルの延線形状を維持するクリート部と、前記クリート部の下部に設けられ、前記架空ケーブルを支持するケーブル支持台と、前記シャフト及び前記架空ケーブルの一部とワイヤー接続され、更に前記架空ケーブルを吊上げるワイヤーとも接続されるフックとを有することを特徴とする。
【発明の効果】
【００１４】
本発明の架空ケーブルの布設工法によれば、地上延線工程により架空ケーブルを予め各電柱の下部位置に仮配置して張架した後に、吊上げ工程により架空ケーブルを各電柱の上部ヘ順に吊上げているので、高所でのケーブル延線作業を地上付近での作業にすることが可能になる。このため、高所作業車が使用できないような作業環境下でもケーブルの延線布設が可能になる。また、従来のような高所における延線用ワイヤーおよび延線用コロの取り付けと取り外し作業を地上付近で行うことができるので、作業時間を短縮することができる。
【００１５】
また、本発明のケーブル吊上用治具によれば、架空ケーブルの吊上げ、電柱上部への固定を効率良く行うことができる。
【発明を実施するための最良の形態】
【００１６】
以下に、本発明の実施の形態について図面を参照しつつ説明する。
【００１７】
本発明の架空ケーブルの布設工法は、電力ケーブルを予め各電柱の下部位置に仮配置して延線する地上延線工程と、この電力ケーブルを各電柱の上部ヘ順に吊上げることにより電力ケーブルを各電柱の上部位置に延線布設する吊上げ工程とを備えている。以下、それぞれの工程に分けて説明する。
【００１８】
（地上延線工程）
図１を参照して、地上作業工程について説明する。
まず、１２〜１３ｍの高さを有する電柱２の下部位置（例えば、地面上約２ｍ程度）に延線用ワイヤー３を取り付け、この延線用ワイヤー３を介して各電柱２間に多数の吊りコロ４を吊り下げる。また、電柱２の少なくとも１つには、図９に示すような電力ケーブル１を送り出すと共に電力ケーブル１に対して必要な弛度を確保するためのホーリングマシン５を設ける。
【００１９】
地上部には、電柱２の下流側（図中右側）に、ケーブルが巻回された３つのケーブルドラム７とメッセンジャーワイヤーが巻回されたメッセンジャードラム８を配し、その上流側には、ラッシングマシン９を配置する。ラッシングマシン９は、３つのケーブルドラム７から繰り出されたケーブルと１つのメッセンジャードラム８から繰り出されたメッセンジャーワイヤーとをラッシングワイヤーでスパイラル巻きにして一体化した電力ケーブル１を形成できるようになっている。一方、電柱２の上流側（図中左側）には電力ケーブル１に張力を加えながら進行させるウィンチ６が配置されている。
【００２０】
このような構成において、まず、３つのケーブルドラム７からケーブルを、メッセンジャードラム８からメッセンジャーワイヤーを引出し、ラッシングマシン９により３つのケーブルと１つのメッセンジャーワイヤーとをラッシングワイヤーでスパイラル巻きにして一体化して電力ケーブル１とし、ウィンチ６及びホーリングマシン５により電力ケーブル１を送り出し、延線用ワイヤー３を介して各電柱２間に吊り下げられた多数の吊りコロ４を通し、電力ケーブル１を各電柱２間に張架する。この各電柱２間に張架された電力ケーブルは、各電柱２上に設置されたホーリングマシン５により各電柱の上部位置で延線布設される延線形状となるように所定の弛度が施される。その後、延線用ワイヤー３および吊りコロ４を取り外し、電力ケーブル１を延線しようとする電柱間の電柱２下部に延線する。このようにして、地上から約２ｍのところで、電力ケーブル１に延線形状を完成させ、電柱２の下部位置におけるケーブルに対する弛度等の延線形状を完了させる。
【００２１】
（吊上げ工程）
次に、各電柱２に図２の吊上用治具１０を取り付け、ホーリングマシン５により所定の弛度が施され延線形状が保持された状態の電力ケーブル１をホーリングマシン５から吊上用治具１０へ取り付けて、各電柱２の上部ヘ順に吊上げ、電力ケーブル１を各電柱２の上部の所定位置に布設する。
【００２２】
（吊上用治具）
図２に、電力ケーブル１を電柱２の上部へ吊り上げるために用いる吊上用治具の一例を示す。
この吊上用治具１０は、電力ケーブル１と固定されるシャフト１１、電力ケーブル１の延線形状を維持するクリート部１５、電力ケーブルの折れ防止のために電力ケーブル１を支持するケーブル支持台１７、及び吊上用のフック１３を有している。フック１３、シャフト１１及びケーブル支持台１７は、ステンレス／アルミ／鉄にめっきしたものが用いられる。
【００２３】
図３及び図４に、吊上用治具１０の構成部分を更に拡大して示す。図３は、吊上用治具１０の正面拡大図である。図４は、吊上用治具１０の部分拡大図であり、（ａ）は図３のＡ−Ａ’断面図、（ｂ）は図３のＢ−Ｂ’断面図、（ｃ）は図３のＣ−Ｃ’断面図である。
【００２４】
図３により、フック１３には、吊上用ワイヤー１２と固定ワイヤー１８が接続され、固定ワイヤー１８はワイヤー引留具１６により電力ケーブルのメッセンジャーワイヤー１４と接続されている。
【００２５】
また、ケーブル支持台１７は３本のケーブル１ａ，１ｂ，１ｃを支持している（図４（ａ））。クリート部１５はプレート２３及びシャフト２５により形成された空間内に、アルミ製の半円状のクリート２１を相互に対向させてケーブル１ａ，１ｂ，１ｃを固定している（図４（ｂ））。なお、シャフト１１はＵ型固定具２７により固定ワイヤー１８と接続されている（図４（ｃ））。
【００２６】
（電力ケーブルの吊り上げ、固定方法）
以下、図５〜図７を参照しつつ、電力ケーブル１を電柱２上部の所定位置まで吊り上げ、固定する方法について説明する。
まず、図５（ａ）に示すように、電柱２の上部の所定の位置に、引留ワイヤー３５が取り付けられたワイヤー引留金具３３を予め固定しておく。更に電柱２の頭部には金車部３１を設けて吊上用ワイヤー１２を通し、この吊上用ワイヤー１２の一端をフック１３と接続し、他端を図５（ｂ）に示すように、ワイヤー巻上機３７と接続しておく。
【００２７】
次に、ワイヤー巻上機３７により電力ケーブル１を電柱２の上方へ吊上げる。ここで、電力ケーブル１は、オフセット部分３６でケーブルの延線形状を保持した状態で吊上げる。吊上用治具１０のフック１３がワイヤー引留金具３３の位置まで来たら（図６）、ワイヤー巻上機３７を停止、固定する。
【００２８】
更に、フック１３と接続されていた固定ワイヤー１８（図３参照）を外し、引留ワイヤー３５とメッセンジャーワイヤー１４とをワイヤー引留具１６（図３参照）により接続した後、フック１３及び吊上用ワイヤー１２を取り除く（図７）。このようにして、任意の電柱２の上部に電力ケーブル１が固定される。
【００２９】
（電力ケーブルの吊上げ順序）
次に、図８を参照して電力ケーブル１全体を複数の電柱２に吊り上げる順序について説明する。
なお、図８では電力ケーブル１及び電柱２を模式化し、各電柱２間の間隔をそれぞれＡ区間、Ｂ区間、Ｃ区間として示した。各区間の長さは４０ｍ、１０本の電柱が配置されている。
【００３０】
図８（ａ）に、地上延線工程終了後の電力ケーブル１の配置を示す。
この配置から、まずＡ区間のみを電力ケーブル１の弛度を利用して２〜３ｍ引き上げる。この結果、電力ケーブル１は、Ａ−Ｂ区間の境界部分では２〜３ｍ上昇しているが、Ｂ−Ｃ区間の境界では全く上昇しておらず、その間連続的に変化することになる（図８（ｂ））。
【００３１】
次に、Ｃ区間のみを電力ケーブル１の弛度を利用して２〜３ｍ引き上げる。すると、Ｂ区間の電力ケーブル１もそれに追従して上昇し、Ａ区間、Ｃ区間と同じレベルまで上昇する（図８（ｃ））。
更に、Ａ区間のみを電力ケーブル１の弛度を利用して２〜３ｍ引き上げる（図８（ｄ））。
このような工程を順次繰り返すことにより、電力ケーブル１全体を電柱２の上部へ布設することができる。
【００３２】
（本実施形態の効果）
（１）地上延線工程により電力ケーブル１を予め各電柱２の下部位置に仮配置して張架した後に、吊上げ工程により電力ケーブル１を各電柱２の上部ヘ順に吊上げているので、従来、高所で行っていたケーブル延線作業を地上付近での作業にすることが可能になる。このため、高所作業車が使用できないような作業環境下でもケーブル延線が可能になる。
（２）狭隘な場所でも電柱２が建てられる条件であれば、電力ケーブル１の延線に必要な作業スペースや作業時間等の作業環境は充分確保できるため、いかなる作業環境でも電力ケーブル１を採用することが可能になる。このため、従来の布設方法では電力ケーブル１を採用するのが難しかった場所にも容易に採用することができる。
（３）従来のような高所における延線用ワイヤーおよび延線用コロの取り付けと取り外し作業を地上付近で行うことができるので、作業時間を短縮することができる。
（４）地上延線工程では、約２ｍのところで延線しているので、安全かつ簡単に必要な弛度を確保することが可能である。
（５）地上延線工程においてホーリングマシンを用いているので、必要な弛度を確保しつつケーブルを送り出すことができる。
（６）吊上用治具１０を用いて電力ケーブル１を吊上げているので、ケーブルオフセット部分でケーブルの延線形状を保持した状態で効果的に吊り上げることができる。
（７）吊上げ作業時に、ケーブルの弛度で吸収できる範囲で段階的に吊り上げることにより、電力ケーブル１の全長を効率良く布設することができる。
【００３３】
なお、実施形態では、図１に示すように、現場で電力ケーブルはメッセンジャーワイヤーにラッシングワイヤーで固定されるが、ラッシング作業は、予め工場でラッシングされたものでも良い。
【００３４】
また、電力ケーブル１として、ケーブル３本をメッセンジャーワイヤーと共にラッシングワイヤーでスパイラル巻きしたものを用いたが、ケーブルの本数はこれには限定されない。即ち、1本であっても複数本であっても適用可能である。
【００３５】
また、実施形態では、電力ケーブル１を送り出すと共に電力ケーブル１の必要な弛度を確保するためのホーリングマシン５を設けたが、このホーリングマシン５を省略することもできる。
【００３６】
また、実施形態では、吊上用治具１０としてシャフト１１とフック１３とを分離した構造としたが、一体化した構造としても良い。
【００３７】
また、ラッシングワイヤーのスパイラル巻きは、図１では地上部に配置されたラッシングマシン９で実施しているが、ケーブルが３条撚りの場合等は、ケーブルとメッセンジャーワイヤーとを吊りコロ４により延線した後ラッシングマシン９を移動させてラッシングを行ってもよい。この場合は、ラッシングマシン９が移動してラッシング終了後にホーリングマシン５が配設されるが、延線した後にホーリングマシンで弛度を確保したあと、ラッシングすることもできる。
【００３８】
また、実施形態では、電力ケーブルについて説明したが、架空ケーブルである通信ケーブルにも採用することが出来る。
【図面の簡単な説明】
【００３９】
【図１】本実施形態における地上延線工程を説明する概略図である。
【図２】本実施形態における吊上用治具を示す斜視図である。
【図３】本実施形態における吊上用治具を示す正面拡大図である。
【図４】本実施形態における吊上用治具の部分拡大図であり、（ａ）は図３のＡ−Ａ’断面図、（ｂ）は図３のＢ−Ｂ’断面図、（ｃ）は図３のＣ−Ｃ’断面図である。
【図５】本実施形態における地上延線工程を説明する概略図であり、（ａ）は正面図、（ｂ）は側面図である。
【図６】本実施形態における地上延線工程を説明する概略図である。
【図７】本実施形態における地上延線工程を説明する概略図である。
【図８】本実施形態における地上延線工程を説明する概略図である。
【図９】従来の電力ケーブルを示す断面図である。
【図１０】従来の電力ケーブルの布設方法を説明する概略図である。
【符号の説明】
【００４０】
１  電力ケーブル
２  電柱
３  延線用ワイヤー
４  吊りコロ
５  ホーリングマシン
６  ウィンチ
７  ケーブルドラム
８  メッセンジャードラム
９  ラッシングマシン
１０  吊上用治具
１１  シャフト
１２  吊上用ワイヤー
１３  フック
１４  メッセンジャーワイヤー
１５  クリート部
１６  ワイヤー引留具
１７  ケーブル支持台
１８  固定ワイヤー
２１  クリート
２３  プレート
２５  シャフト
２７  Ｕ型固定具
３１  金車部
３３  ワイヤー引留金具
３５  引留ワイヤー
３６  オフセット形状
３７  ワイヤー巻上機
４１  ケーブル
４２  メッセンジャーワイヤー
４３  ラッシングワイヤー
５４  電力ケーブル
５６  電柱
５７  延線用ワイヤー
５８  延線用コロ
５９  ウィンチ
６０  ケーブルドラム
【図１】
2006094640.tif 000003
【図２】
2006094640.tif 000004
【図３】
2006094640.tif 000005
【図４】
2006094640.tif 000006
【図５】
2006094640.tif 000007
【図６】
2006094640.tif 000008
【図７】
2006094640.tif 000009
【図８】
2006094640.tif 000010
【図９】
2006094640.tif 000011
【図１０】
2006094640.tif 000012